(57)【要約】【課題】高い精度でユーザが次に操作する設定項目を予測する。【解決手段】撮像装置は、撮影準備動作中に複数の撮影条件を順次設定可能な撮影条件設定部と、複数の撮影関連情報の少なくとも一つを撮影準備動作中に取得する取得部と、撮影準備動作中に撮影条件設定部によって順次設定された複数の撮影条件の情報と、当該設定の順序に関する情報と、取得部によって当該撮影準備動作中に取得された撮影関連情報と、を関連付けて当該撮影準備動作に引き続く撮影動作毎に記憶して、履歴データベースを作成する履歴データベース作成部と、取得部によって撮影準備動作中に取得された撮影関連情報と、当該撮影準備動作中に撮影条件設定部によって設定された撮影条件情報とに基づき、履歴データベースを検索して、当該設定された撮影条件の次に設定されると予測される撮影条件を求める予測部と、予測部によって予測された撮影条件を表示する表示部と、を備える。【選択図】図６
2015070380.tif 000002
【特許請求の範囲】
【請求項１】
撮影準備動作中に複数の撮影条件を順次設定可能な撮影条件設定部と、
複数の撮影関連情報の少なくとも一つを撮影準備動作中に取得する取得部と、
撮影準備動作中に前記撮影条件設定部によって順次設定された複数の撮影条件の情報と、当該設定の順序に関する情報と、前記取得部によって当該撮影準備動作中に取得された撮影関連情報と、を関連付けて当該撮影準備動作に引き続く撮影動作毎に記憶して、履歴データベースを作成する履歴データベース作成部と、
前記取得部によって撮影準備動作中に取得された撮影関連情報と、当該撮影準備動作中に前記撮影条件設定部によって設定された撮影条件情報とに基づき、前記履歴データベースを検索して、当該設定された撮影条件の次に設定されると予測される撮影条件を求める予測部と、
前記予測部によって予測された撮影条件を表示する表示部と、
を備えることを特徴とする撮像装置。
【請求項２】
請求項１に記載の撮像装置において、
前記複数の撮影関連情報は、日時情報と、前記撮像装置が位置する場所に関する情報と、撮影画角に関する情報と、撮影姿勢に関する情報と、被写体に含まれる顔に関する情報のうち少なくとも一つを含むことを特徴とする撮像装置。
【発明の詳細な説明】
【技術分野】
【０００１】
本発明は、撮像装置に関する。
【背景技術】
【０００２】
操作メニューに表示する各設定項目の使用頻度に基づいて、ユーザが次に操作する設定項目を予測する電子機器が知られている（特許文献１）。特許文献１では、操作メニューに表示する各設定項目のうち使用頻度が高い設定項目のみを抽出して、抽出した設定項目を操作予測メニューに表示している。
【先行技術文献】
【特許文献】
【０００３】
【特許文献１】特開２００７−２１４６９０号公報
【発明の概要】
【発明が解決しようとする課題】
【０００４】
電子カメラなどの撮像装置では、撮影時間、撮影場所、撮影姿勢などの撮影条件によって設定を変更することが考えられる。たとえば、暗い場所で撮影を行う場合にはＩＳＯ感度を上げる設定やフラッシュを発光させる設定を行い、明るい場所で撮影を行う場合にはそのような設定を行わない。ユーザが次に操作する設定項目を使用頻度のみに基づいて予測した場合、撮影条件の違いに十分に対応することができず、予測結果の精度が低くなるおそれがある。たとえば、明るい場所で撮影を行う際にフラッシュを発光させる設定を予測してしまうおそれがある。
【課題を解決するための手段】
【０００５】
本発明による撮像装置は、撮影準備動作中に複数の撮影条件を順次設定可能な撮影条件設定部と、複数の撮影関連情報の少なくとも一つを撮影準備動作中に取得する取得部と、撮影準備動作中に撮影条件設定部によって順次設定された複数の撮影条件の情報と、当該設定の順序に関する情報と、取得部によって当該撮影準備動作中に取得された撮影関連情報と、を関連付けて当該撮影準備動作に引き続く撮影動作毎に記憶して、履歴データベースを作成する履歴データベース作成部と、取得部によって撮影準備動作中に取得された撮影関連情報と、当該撮影準備動作中に撮影条件設定部によって設定された撮影条件情報とに基づき、履歴データベースを検索して、当該設定された撮影条件の次に設定されると予測される撮影条件を求める予測部と、予測部によって予測された撮影条件を表示する表示部と、を備えることを特徴とする。
【発明の効果】
【０００６】
高い精度でユーザが次に操作する設定項目を予測することができる。
【図面の簡単な説明】
【０００７】
【図１】本発明の一実施の形態による撮像装置の構成例を示すブロック図である。
【図２】本発明の一実施の形態による撮像装置の斜視図である。
【図３】履歴データの一例を示す図である。
【図４】制御部の機能ブロック図である。
【図５】予測した設定項目の表示方法を示す図である。
【図６】本発明の一実施の形態による撮像装置の動作に関するフローチャートである。
【発明を実施するための形態】
【０００８】
図１は、本発明の一実施の形態による撮像装置の構成例を示すブロック図である。図１に例示される電子カメラ１は、撮影レンズ１０と、絞り１１と、レンズ駆動部１２と、絞り駆動部１３と、撮像部１４と、画像処理部１５と、制御部１６と、ＲＡＭ１７と、フラッシュメモリ１８と、記録部１９と、表示部２０と、発光部２１と、操作部２２と、姿勢センサ２３と、ＧＰＳモジュール２４とを備える。
【０００９】
撮影レンズ１０は、ズームレンズやフォーカシングレンズを含む複数のレンズ群で構成される。なお、図１では、撮影レンズ１０は単レンズとして図示されている。ズームレンズやフォーカシングレンズは、レンズ駆動部１２により駆動される。
【００１０】
絞り１１は、複数枚の絞り羽根（不図示）から形成され、撮像部１４に導く光量を調整する。絞り駆動部１３は、制御部１６が設定した絞り値に基づいて、絞り羽根（不図示）を駆動する。
【００１１】
撮像部１４は、撮像素子とアナログ信号処理回路とＡ／Ｄ変換回路とを有する。撮像部１４は、被写体像を撮像して、撮像画像を出力する。画像処理部１５は、撮像部１４から撮像画像を取り込み、ＲＡＭ１７を作業領域として用いて、画像圧縮、ホワイトバランスの調整などの画像処理を行うことができる。
【００１２】
制御部１６は、マイクロコンピュータなどによって構成され、ＲＡＭ１７を作業領域として用いてフラッシュメモリ１８等の不揮発性の記憶媒体に記憶されているプログラムを実行して、電子カメラ１の各部を制御する。
【００１３】
フラッシュメモリ１８には、制御部１６が実行するプログラムと、ユーザが電子カメラ１に対して行った操作の履歴に関する履歴データベース１８ａが記憶されている。履歴データベース１８ａについては、その説明を後述する。
【００１４】
記録部１９には、記録媒体３０が着脱可能に装着される。記録部１９は、画像処理部１５が画像圧縮して生成した記録用画像を記録媒体３０に記録する。表示部２０は、たとえば電子カメラ１の背面に設けられた液晶モニタなどであって、後述する電子カメラ１の操作画面、メニュー画面、スルー画像などを表示することができる。発光部２１は、フラッシュ等であって、撮影時に発光して被写体を照明する。
【００１５】
操作部２２は、レリーズボタン２２ａ、ズームレバー２２ｂ、電源ボタン２２ｃ、再生ボタン２２ｄ、選択ボタン２２ｅなどの操作部材を有する。操作部２２の各部が操作されると、対応した操作信号が制御部１６に出力される。
【００１６】
レリーズボタン２２ａは、撮影動作の開始を指示するレリーズ操作に用いられる。以降の説明では、レリーズ操作前に電子カメラ１が行う動作のことを撮影準備動作と呼ぶ。
【００１７】
ズームレバー２２ｂは、ズームレンズの駆動を指示するための操作部材である。
電源ボタン２２ｃは、電子カメラ１に電源を投入するための操作部材である。
再生ボタン２２ｄは、記録用画像の再生表示を指示するための操作部材である。
選択ボタン２２ｅは、メニュー画面等において種々の選択操作を行うための操作部材である。
【００１８】
姿勢センサ２３は、たとえばジャイロセンサ等で構成され、撮影レンズ１０が向けられている角度等、電子カメラ１の撮影姿勢に関する情報を検出して、その情報を制御部１６へ出力する。
【００１９】
ＧＰＳモジュール２４は、不図示のＧＰＳ衛星からの信号を受信し、電子カメラ１が位置する場所に関する情報、たとえば緯度、経度、高度などの情報を算出して、その情報を制御部１６へ出力する。
【００２０】
図２は、電子カメラ１の概略斜視図である。図２には、電子カメラ１の背面Ａと上面Ｂと側面Ｃとが図示されている。電子カメラ１の背面Ａには、表示部２０と、再生ボタン２２ｄと、選択ボタン２２ｅと、その他の操作部２２とが設けられている。電子カメラ１の上面Ｂには、レリーズボタン２２ａと、ズームレバー２２ｂと、電源ボタン２２ｃとが設けられている。
【００２１】
図３（ａ）および（ｂ）は、履歴データベース１８ａ（図１）に記憶されている履歴データの一例を示す図である。図３（ａ）および（ｂ）に示す履歴データは、撮影条件部４１と、撮影関連情報部４２とを有する。履歴データベース１８ａには、レリーズ操作が行われるたびにこのような履歴データが記憶される。
【００２２】
撮影条件部４１には、電子カメラ１の電源を投入してからレリーズ操作されるまでの撮影準備動作中に設定された電子カメラ１の複数の撮影条件に関する設定が時系列順に記憶されている。電子カメラ１の撮影条件に関する設定とは、たとえば、風景、スポーツ、パーティ、ポートレート、ビーチ、料理などのシーンモードに関する設定や、露出補正の設定値や、コンティニュアスＡＦ、シングルＡＦなどの焦点検出モードに関する設定や、ホワイトバランス調整のホワイトバランスゲインの設定や、発光部２１を発光させるか否かの設定などを含む。図３（ａ）に例示した撮影条件部４１では、シーンモードをポートレートに設定した後に、露出補正の補正値を＋０．３に設定したことが記憶されている。すなわち、撮影条件部４１では、ポートレートの設定と、露出補正の設定値を＋０．３にする設定と、それらの設定の順番に関する情報が記憶されている。
【００２３】
撮影関連情報部４２には、レリーズ操作時の撮影日時、撮影場所、撮影画角、電子カメラ１の撮影姿勢、撮影被写体などに関する情報が記憶されている。撮影被写体に関する情報とは、たとえば被写体に人物の顔が含まれるか否かなどの情報である。このように撮影条件部４１と撮影関連情報部４２に記憶されている情報がレリーズ操作による撮影動作が完了するごとに作成されて履歴データベース１８ａに履歴データとして記憶される。
【００２４】
電子カメラ１の電源を投入してから複数回撮影が行われた場合であっても、設定順序を維持するため、撮影条件部４１には、電子カメラ１の電源を投入してから各レリーズ操作が行われるまでの間に設定された電子カメラ１の設定が記憶される。図３（ｂ）に示した例は、第１のレリーズ操作により図３（ａ）に示す履歴データを作成した後に、発光部２１を発光させる設定を行い、さらに第２のレリーズ操作を行った場合に作成される履歴データを示す。履歴データベース１８ａには、図３（ａ）に示す履歴データと、図３（ｂ）に示す履歴データとが共に記憶される。図３（ｂ）に示す履歴データの撮影条件部４１には、図３（ａ）に示す履歴データの撮影条件部４１に記憶されている内容の後に、発光部２１を発光させる設定に関する情報がさらに記憶されている。
【００２５】
電子カメラ１の電源を投入してから複数回撮影が行われた場合、撮影関連情報部４２に記憶される情報は、撮影のたびに新しい情報が記憶される。たとえば、図３（ａ）の履歴データには、第１のレリーズ操作を行ったときの情報が記憶され、図３（ｂ）の履歴データには、第２のレリーズ操作を行ったときの情報が記憶されている。
【００２６】
図４は、ユーザが次に操作する撮影条件の設定の予測に関する制御部１６の機能を示すブロック図である。
制御部１６は、撮影条件設定部５０と、タイマー部５１と、撮影場所取得部５２と、撮影画角算出部５３と、撮影姿勢検出部５４と、顔検出部５５と、情報取得部５６と、履歴検索部５９と、一時記憶部５７と、履歴データ作成部５８と、予測部６０と、予測結果表示部６１とを有する。
【００２７】
撮影条件設定部５０は、操作部２２からの操作信号に基づいて、電子カメラ１の種々の撮影条件を設定する。
タイマー部５１は、現在の日時情報を生成している。
撮影場所取得部５２は、電子カメラ１が位置する場所に関する情報をＧＰＳモジュール２４から取得する。
撮影画角算出部５３は、ズームレンズの位置等に基づいて焦点距離を算出して、その焦点距離と撮像素子の撮像面の寸法とに基づいて、撮影画角を算出する。
撮影姿勢検出部５４は、姿勢センサ２３の検出結果に基づいて、電子カメラ１の撮影姿勢を検出する。たとえば、ジャイロセンサからの出力信号に基づいて、縦位置での撮影か横位置での撮影なのかを検出する。
顔検出部５５は、公知の顔認識処理を用いて、スルー画像から顔画像を検出する。顔検出部５５は、検出された顔画像の中心位置、大きさ、個数を顔画像に関する情報として生成する。
【００２８】
情報取得部５６は、タイマー部５１からは日時情報を取得し、撮影場所取得部５２からは電子カメラ１が位置する場所に関する情報を取得し、撮影画角算出部５３からは画角に関する情報を取得し、撮影姿勢検出部５４からは撮影姿勢に関する情報を取得し、顔検出部５５からは顔画像に関する情報を取得する。以降、情報取得部５６が取得するこれらの情報のことをそれぞれ撮影関連情報と呼ぶ。情報取得部５６は、撮影条件の設定ごとに上述の撮影関連情報を取得すると共にレリーズ操作ごとに撮影関連情報を取得する。
【００２９】
一時記憶部５７は、ユーザが撮影準備動作中に電子カメラ１の撮影条件を設定するごとに、設定した撮影条件をＲＡＭ１７に一時記憶する。たとえば、シーンモードをポートレートに設定した場合、ポートレートに設定したことを表す情報がＲＡＭ１７に一時記憶される。
【００３０】
履歴データ作成部５８は、レリーズ操作が行われるごとに、撮影条件部４１と撮影関連情報部４２に以下の情報を含む履歴データを生成して、その履歴データを履歴データベース１８ａに登録する。
撮影条件部４１：ＲＡＭ１７に順次記憶されている撮影条件に関する情報
撮影関連情報部４２：情報取得部５６により取得された撮影関連情報
【００３１】
履歴検索部５９は、撮影者が新たな撮影準備動作を開始すると、そのときに情報取得部５６が取得した撮影関連情報に基づき、すなわちその撮影関連情報をキーワードとして用いて履歴データベース１８ａを検索して、キーワードと略同一の撮影関連情報を有する履歴データを抽出する。なお、撮影日については月単位、撮影時刻については時間単位で一致していれば同一とみなす。また、撮影場所については場所のずれが所定の許容範囲内であれば同一とみなす。以降、履歴検索部５９が情報取得部５６から撮影関連情報を取得するきっかけとなった電子カメラ１の設定項目を第１の設定項目と称する。
【００３２】
予測部６０は、履歴検索部５９が検索した履歴データと、一時記憶部５７によりＲＡＭ１７に一時記憶されている撮影条件に関する情報とに基づいて、ユーザが次に設定する撮影条件を予測する。
【００３３】
予測部６０は、撮影準備動作中に設定された撮影条件部４１の情報をＲＡＭ１７から読み出して、この読み出した撮影条件部４１の情報をキーワードとして、上述の履歴検索部５９が検索した履歴データの中からこのキーワードを含む履歴データを抽出する。その後、予測部６０は、抽出した履歴データに基づき上述の撮影準備動作中に設定された撮影条件の次に設定されると予測される撮影条件候補を求める。具体的には、たとえば撮影準備動作中に撮影条件としてポートレートが設定されると、このポートレートを撮影条件部４１に含む履歴データを履歴検索部５９が検索した履歴データの中から抽出する。こうして抽出されたポートレートを含む図３（ａ）および（ｂ）のような履歴データについて、撮影条件部４１にポートレートの次に記憶されている撮影条件が同一である履歴データの個数を算出する。予測部６０は、その個数が所定数、たとえば１０個以上の撮影条件を予測結果として出力する。
【００３４】
予測結果表示部６１は、予測部６０が出力した予測結果を表示部２０に表示する。予測結果表示部６１による予測結果の表示について、図５（ａ）および（ｂ）に示す例を用いて説明する。
【００３５】
図５（ａ）は、電子カメラ１の概略背面図である。図５（ａ）の電子カメラ１の表示部２０には、電子カメラ１のシーンモードを選択するためのメニュー画面７０が表示されている。メニュー画面７０には、選択可能なシーンモードが一覧表示されたリスト７１と、リスト７１中のシーンモードの一つを指し示すカーソル７２とが表示されている。ユーザが選択ボタン２２ｅを操作すると、カーソル７２が上下方向に移動する。図５（ａ）では、カーソル７２はポートレートを指している。
【００３６】
図５（ｂ）は、ユーザが選択ボタン２２ｅを操作して、電子カメラ１のシーンモードをポートレートに設定した直後の電子カメラ１の概略背面図である。図５（ｂ）の電子カメラ１の表示部２０には、ポートレートに設定されていることを表すアイコン８１と、予測部６０の予測結果を表示する予測結果表示領域８２が表示されている。
【００３７】
予測結果表示領域８２は、表示部２０の表示画面の周縁部、特に操作部２２が外周の近傍位置に設けられている右辺の近傍に表示されている。図５（ｂ）では、予測結果表示領域８２は、ｘ方向の表示位置が表示部２０の周縁部の右辺近傍であって、ｙ方向の表示位置が再生ボタン２２ｄの設置位置と一致するように表示されている。
【００３８】
図５（ｂ）では、予測結果表示領域８２の右側に、予測結果表示領域８２から再生ボタン２２ｄを指すように三角形のアイコン８３が表示されている。電子カメラ１では、再生ボタン２２ｄのように、被写体の撮影に用いられない操作部材に対して、予測結果表示領域８２に表示された設定変更を即座に実行する機能を割り当てる。図５（ｂ）の例では、再生ボタン２２ｄに露出補正を＋０．３に設定する機能が割り当てられている。アイコン８３は、予測結果表示領域８２に表示された設定項目の機能が再生ボタン２２ｄに割り当てられたことを示している。
【００３９】
表示部２０に図５（ｂ）に示す画面が表示されているときに、再生ボタン２２ｄを操作すると、制御部１６は、予測結果表示領域８２に表示された撮影条件の設定を行う。
【００４０】
図６は、本発明の電子カメラ１の動作に関するフローチャートである。図６に示す処理は、制御部１６によって実行され、電子カメラ１の電源がオンになるのに応じて開始される。制御部１６は、図６に示す処理を開始すると、ステップＳ１００の処理に進む。ステップＳ１００では、制御部１６は、表示部２０にメニュー画面、たとえば図５（ａ）のメニュー画面７０を表示して、ステップＳ１１０の処理に進む。
【００４１】
ステップＳ１１０では、制御部１６は、撮影条件設定部５０により電子カメラ１の撮影条件が設定されたか否かを判定する。制御部１６は、ユーザが電子カメラ１の撮影条件を設定した場合、たとえばシーンモードをポートレートに設定した場合、ステップＳ１２０の処理に進む。制御部１６は、ユーザが電子カメラ１の撮影条件を設定しなかった場合、ステップＳ１８０の処理に進む。なお、一つの設定変更によりステップＳ１１０は１度だけ肯定判定される。
【００４２】
ステップＳ１２０では、制御部１６は、一時記憶部５７として動作し、ユーザが行った電子カメラ１の撮影条件の設定に関する情報をＲＡＭ１７に一時記憶して、ステップＳ１３０の処理に進む。
【００４３】
ステップＳ１３０では、制御部１６は、情報取得部５６として動作し、電子カメラ１の撮影条件を設定したときの撮影関連情報を取得して、ステップＳ１４０の処理に進む。
【００４４】
ステップＳ１４０では、制御部１６は、履歴検索部５９として動作し、撮影関連情報部４２に記憶されている情報がステップＳ１３０で取得した撮影関連情報と同じ履歴データを履歴データベース１８ａから検索して、ステップＳ１５０の処理に進む。
【００４５】
ステップＳ１５０では、制御部１６は、予測部６０として動作し、ステップＳ１４０で検索した履歴データの中から、ＲＡＭ１７に一時記憶されている設定に関する情報が撮影条件部４１に含まれる履歴データを検索して、ステップＳ１６０の処理に進む。
【００４６】
ステップＳ１６０では、制御部１６は、予測部６０として動作し、ステップＳ１１０でユーザが設定した撮影条件の次に設定された撮影条件についてステップＳ１５０で得られた各履歴データの撮影条件部４１を集計して、ステップＳ１１０でユーザが設定した撮影条件の次に所定回数以上設定された撮影条件が存在するか否かを判定する。制御部１６は、実行回数が所定回数以上の撮影条件が存在する場合はステップＳ１７０の処理に進み、実行回数が所定回数以上の撮影条件が存在しない場合はステップＳ１００の処理に戻る。
ステップＳ１７０では、制御部１６は、予測結果表示部６１として動作し、実行回数が所定回数以上の設定項目を表示部２０に表示して、ステップＳ１００の処理に戻る。
【００４７】
ステップＳ１８０では、制御部１６は、レリーズ操作を行ったか否かを判定する。制御部１６は、レリーズ操作が行われた場合はステップＳ１９０の処理に進み、レリーズ操作が行われていない場合はステップＳ１００の処理に戻る。
【００４８】
ステップＳ１９０では、制御部１６は、電子カメラ１の設定に基づいて撮影動作を行い、記録用画像を生成して、その記録用画像を記録媒体３０に記録し、ステップＳ２００の処理に進む。
ステップＳ２００では、制御部１６は、情報取得部５６として動作し、撮影関連情報を取得して、ステップＳ２１０の処理に進む。
【００４９】
ステップＳ２１０では、制御部１６は、履歴データ作成部５８として動作して、ステップＳ１９０で取得された撮影関連情報と、ＲＡＭ１７に一時記憶されている設定項目に関する情報とに基づいて履歴データを生成して、その履歴データを履歴データベース１８ａに登録して、ステップＳ２２０の処理に進む。
【００５０】
ステップＳ２２０では、制御部１６は、電子カメラ１の電源がオフされたか否かを判定する。制御部１６は、電子カメラ１の電源がオフされた場合は図６の処理を終了し、電子カメラ１の電源がオフされていない場合はステップＳ１００の処理に戻る。
【００５１】
以上説明した実施の形態によれば、以下の作用効果が得られる。
電子カメラ１は、操作部２２の操作に基づいて撮影準備動作中に複数の撮影条件を順次設定可能な撮影条件設定部５０と、複数の撮影関連情報を撮影準備動作中に取得する情報取得部５６と、撮影準備動作中に撮影条件設定部５０によって順次設定された複数の撮影条件の情報と、当該設定の順序に関する情報と、情報取得部５６によって当該撮影準備動作中に取得された撮影関連情報と、を関連付けて当該撮影準備動作に引き続く撮影動作毎に記憶して、履歴データベース１８ａを作成する履歴データベース作成部５９と、情報取得部５６によって撮影準備動作中に取得された撮影関連情報と、当該撮影準備動作中に撮影条件設定部５０によって設定された撮影条件情報とに基づき、履歴データベース１８ａを検索して、当該設定された撮影条件の次に設定されると予測される撮影条件を求める予測部６０と、予測部６０によって予測された撮影条件を表示する予測結果表示部６１と、を備える。電子カメラ１は、撮影条件情報だけでなく撮影関連情報に基づいて次に操作する設定項目を絞り込むため、高い精度でユーザが次に操作する設定項目を予測することができる。
【００５２】
以上説明した実施形態は、以下のように変形して実施できる。
（変形例１）
上記の実施の形態では、情報取得部５６は、撮影関連情報として、日時情報（撮影時刻）、撮影場所、撮影画角、撮影姿勢、顔画像に関する情報をそれぞれ収集することにしたが、他の情報をさらに収集することにしてもよいし、一部の情報を収集しないことにしてもよい。たとえば、電子カメラ１がアクセサリシューを有する場合、情報取得部５６は、そのアクセサリシューへのアクセサリの接続状況をさらに収集することにしてもよい。また、情報取得部５６は、周辺環境光の色温度に関する情報をさらに収集することにしてもよい。
【００５３】
（変形例２）
上記の実施の形態では、履歴データ作成部５８は、レリーズ操作が行われたときに、履歴データを生成して、その履歴データを履歴データベース１８ａに記憶することにした。しかし、履歴データ作成部５８が履歴データを生成して、履歴データベース１８ａへの履歴データの記憶を開始するタイミングは、被写体が撮影され、記録用画像が生成されるタイミングであればレリーズ操作が行われたときだけに限定しない。
【００５４】
（変形例３）
上記の実施の形態では、履歴データベース１８ａは、フラッシュメモリ１８に記憶されていることにしたが、履歴データベース１８ａを記憶する記録媒体は、フラッシュメモリ１８でなくてもよい。たとえば、記録媒体３０のように他の不揮発性記録媒体に記録することにしてもよい。ユーザごとに専用の記録媒体３０を用意することで、制御部１６は、ユーザの嗜好に合わせた設定項目を予測することができる。
【００５５】
（変形例４）
上記の実施の形態では、再生ボタン２２ｄを用いて予測結果表示領域８２に表示された設定項目を選択することにしたが、他の操作を用いて選択することにしてもよい。たとえば、電子カメラ１の表示部２０にタッチパネルが設けられている場合は、タッチパネルを用いて予測結果表示領域８２を選択することにしてもよい。また、電子カメラ１の表示部２０にタッチパネルが設けられている場合は、操作部２２との位置関係を示す必要がない。
【００５６】
（変形例５）
上記の実施の形態では、予測結果表示部６１は、予測部６０が予測した設定項目を予測結果表示領域８２に表示することにした。しかし、予測結果表示部６１は、予測部６０が予測した設定項目に設定されている場合には、その設定項目を予測結果表示領域８２に表示しないことにしてもよい。
【００５７】
（変形例６）
上記の実施の形態では、電子カメラ１は、撮影レンズ１０とカメラが一体的に形成された撮像装置として説明したが、カメラ本体と、そのカメラ本体に着脱可能な交換レンズとからなるカメラシステムとして構成してもよい。
また、本発明は、電子カメラ１以外の撮像装置にも適用することができる。たとえば、スマートフォンなどの携帯電話にも適用することができる。
【００５８】
（変形例７）
上記の実施の形態では、図６のステップＳ１６０の判定が否定判定された場合は、予測結果の表示を行わないことにしたが、撮影準備動作中に設定された撮影条件の次に記憶されている撮影条件が同一である履歴データの個数が最大の撮影条件を予測結果として出力することにしてもよい。
【００５９】
（変形例８）
上記の実施の形態では、図４の撮影場所取得部５２は、ＧＰＳモジュール２４から電子カメラ１が位置する場所に関する情報を取得したが、他の手段で電子カメラ１が位置する場所に関する情報を取得してもよい。たとえば、ＧＰＳ衛星以外の衛星からの信号を取得して電子カメラ１が位置する場所に関する情報を取得することにしてもよい。また、たとえば、Ｗｉ−Ｆｉ（登録商標）を用いた通信によりＷｉ−Ｆｉ用のアクセスポイントの位置に関する情報を取得すると共に、そのアクセスポイントからの信号の強度により電子カメラ１からそのアクセスポイントまでの距離を算出して、これらの情報を用いて電子カメラ１の位置を算出することにしてもよい。
【００６０】
以上で説明した実施の形態や変形例はあくまで例示に過ぎず、発明の特徴が損なわれない限り本発明はこれらの内容に限定されない。また、以上で説明した実施の形態や変形例は発明の特徴が損なわれない限り組み合わせて実行してもよい。
【符号の説明】
【００６１】
１  電子カメラ
１６  制御部
１８  フラッシュメモリ
１８ａ  履歴データベース
５０  撮影条件設定部
５１  タイマー部
５２  撮影場所取得部
５３  撮影画角算出部
５４  撮影姿勢検出部
５５  顔検出部
５６  情報取得部
５７  一時記憶部
５８  履歴データ作成部
５９  履歴検索部
６０  予測部
６１  予測結果表示部
【図１】
2015070380.tif 000003
【図２】
2015070380.tif 000004
【図３】
2015070380.tif 000005
【図４】
2015070380.tif 000006
【図５】
2015070380.tif 000007
【図６】
2015070380.tif 000008